(57)【要約】  本発明は、臭気吸収剤及び結合剤の乾燥した水性堆積製剤を有するパーソナルケア製品用の臭気制御層に関する。この層は、おむつ、トレーニングパンツ、吸収性下着、大人用失禁用製品、及び女性用衛生製品のようなパーソナルケア製品内に配置することができる。存在する臭気吸収剤の量は、乾燥ベースで約２と８０重量パーセントの間の量とすることができる。この層は、ティシュ、フィルム、ペーパータオル、不織ウェブ、コフォーム、空気堆積、湿式堆積、ボンデッドカーデッドウェブ及びその積層体とすることができる。【特許請求の範囲】
【請求項１】
臭気吸収剤及び結合剤の乾燥され水性堆積された製剤を含み、おむつ、トレーニングパンツ、吸収性下着、大人用失禁用製品、及び女性用衛生製品から成る群から選択されるパーソナルケア製品内に配置されたことを特徴とするパーソナルケア製品用臭気制御層。
【請求項２】
前記吸収剤が、シリカ、アルミナ、二酸化チタン、ゼオライト、炭酸ナトリウム、重炭酸ナトリウム、リン酸ナトリウム、硫酸亜鉛、硫酸銅、活性炭素及びその混合物から成る群から選択されることを特徴とする請求項１に記載の層。
【請求項３】
前記吸収剤が活性炭素であり、乾燥ベースで約２と８０重量パーセントの間の量で存在することを特徴とする請求項２に記載の層。
【請求項４】
前記吸収剤が活性炭素であり、乾燥ベースで約５と７５重量パーセントの間の量で存在することを特徴とする請求項２に記載の層。
【請求項５】
前記吸収剤が活性炭素であり、乾燥ベースで約１０と３０重量パーセントの間の量で存在することを特徴とする請求項２に記載の層。
【請求項６】
ティシュ、フィルム、ペーパータオル、不織ウェブ、コフォーム、空気堆積、湿式堆積、ボンデッドカーデッドウェブ及びその積層体から成る群から選択されることを特徴とする請求項２に記載の層。
【請求項７】
液体不透過性バッフルと、液体透過性身体側ライナと、活性炭素及び結合剤の乾燥した水性塗布層を有する基材とを含むパーソナルケア製品であって、前記パーソナルケア製品が、女性用衛生製品及び大人用失禁用製品から成る群から選択されることを特徴とするパーソナルケア製品。
【請求項８】
前記炭素が、乾燥ベースで約２と８０重量パーセントの間の量で存在することを特徴とする請求項７に記載のパーソナルケア製品。
【請求項９】
前記吸収剤が活性炭素であり、乾燥ベースで約５と７５重量パーセントの間の量で存在することを特徴とする請求項７に記載のパーソナルケア製品。
【請求項１０】
前記吸収剤が活性炭素であり、乾燥ベースで約１０と３０重量パーセントの間の量で存在することを特徴とする請求項７に記載のパーソナルケア製品。
【請求項１１】
耐久性のある活性炭素処理体を含むパーソナルケア製品であって、ＡＳＴＭ  Ｅ１２０７−８７による前記製品の臭気の減少が、前記活性炭素がない同様の製品よりも優れていることを特徴とするパーソナルケア製品。
【請求項１２】
臭気吸着処理体を含むパーソナルケア製品を処分するためのポーチ。
【請求項１３】
前記パーソナルケア製品が、おむつ、女性用衛生製品及び失禁用製品からなる群から選択されることを特徴とする請求項１２に記載のポーチ。
【請求項１４】
活性炭素及び結合剤の処理体を有する基材を含む空気障壁包装物のための臭気低減挿入体。
【請求項１５】
トイレットペーパーのパッケージ内に組み込まれた請求項１４に記載の挿入体。
【請求項１６】
パーソナルケア製品の臭気を制御する方法であって、
活性炭素、結合剤及び水からなる製剤中に基材を浸漬する段階と、
前記基材を圧搾する段階と、
前記基材を乾燥する段階と、
前記基材をパーソナルケア製品内に配置する段階と、
を含む方法。
【発明の詳細な説明】
【技術分野】
【０００１】
本発明は、パーソナルケア製品の臭気を軽減及び制御するための工程及び製品に関する。
【背景技術】
【０００２】
使い捨てパーソナルケア製品は、今日の多忙な社会で必要とされる機能を果たし、介護者であるユーザが再使用可能な製品を洗濯する雑役から解放され、身体排泄物を迅速に且つ容易に処分することを可能にする。設計を改良することによって漏出の問題が減少したので、消費者にとって臭気の制御が重要になってきた。これは、失禁用製品及び女性用衛生製品の使用者には特に関心がもたれている。
【０００３】
臭気は、パーソナルケア製品を交換する必要がある信号として消費者に用いられることが多い。しかしながら、臭気の検出は、消費者の臭覚の鋭敏性に依存し、この鋭敏性は、加齢に伴い衰えることが多い。また、製品の臭気に依存することは、製品を交換する前に臭気がきつくなり、容認しがたい信号となることを意味する。
【０００４】
更に、これまでのこの問題に取り組む試みで行われたように、臭気を減少させるためにパーソナルケア製品に加えられるあらゆるものが、所定位置に留まり且つ製品を通って移動しないことが重要である。例えば、吸収剤及び／又は吸収性（吸着剤）粒子は、製品から漏出せず、消費者に気付かれもしないことが必要である。
パーソナルケア製品中の身体排泄物による臭気を制御することができる工程及び製品に対する必要性が存在することは明らかである。
【０００５】
【特許文献１】米国特許第４，９４０，４６４号公報
【特許文献２】米国特許第４，９３８，７５３号公報
【特許文献３】米国特許第６，２４０，５６９号公報
【特許文献４】米国特許第６，３６７，０８９号公報
【特許文献５】米国特許第４，７７５，５８２号公報
【特許文献６】米国特許第４，８５３，２８１号公報
【特許文献７】米国特許第４，８３３，００３号公報
【特許文献８】米国特許第４，５１１，４８８号公報
【特許文献９】米国特許第４，８１８，４６４号公報
【特許文献１０】米国特許第４，１００，３２４号公報
【特許文献１１】米国特許第４，６４０，８１０号公報
【特許文献１２】米国特許第４，４９４，２７８号公報
【特許文献１３】米国特許第５，５２７，１７１号公報
【特許文献１４】米国特許第４，３７５，４４８号公報
【非特許文献１】ＳＩＴＡ  Ｔｅｃｈｎｏｌｏｇｙ、Ｌｔｄ．と提携してＪｏｈｎ  Ｗｉｌｅｙ  ＆  Ｓｏｎｓ  Ｌｔｄ．により１９９７年に出版された、Ｃ  Ｌｏｗｉ、Ｇ．Ｗｅｂｓｔｅｒ、Ｓ．Ｋｅｌｌｓｅ、Ｉ．ＭｃＤｏｎａｌｄの「Ｃｈｅｍｉｓｔｒｙ  ＆  Ｔｅｃｈｎｏｌｏｇｙ  ｆｏｒ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ（コーティング用ＵＶ及びＥＢ製剤、インク並びに塗料のための化学と技術）」第４巻、５４ページ、ＩＳＢＮ  ０  ９４７７９８  ５４  ４
【非特許文献２】ＳＩＴＡ  Ｔｅｃｈｎｏｌｏｇｙ  Ｌｔｄ．と提携してＪｏｈｎ  Ｗｉｌｅｙ  ａｎｄ  Ｓｏｎｓ  Ｌｔｄにより１９９８年に出版されたＣ．ＬｏｗｅとＲ．Ｋ．Ｔ．Ｏｌｄｒｉｎｇの「Ｔｅｓｔ  Ｍｅｔｈｏｄｓ  ｆｏｒ  ＵＶ  ａｎｄ  ＥＢ  Ｃｕｒｉｎｇ  Ｓｙｓｔｅｍｓ（ＵＶ及びＥＢ硬化システムのための試験法）」第６巻、ＩＳＢＮ  ０４７１  ９７８９０６
【発明の開示】
【０００６】
当業者が直面する上述の問題に対して、本発明者らは、臭気吸収剤及び結合剤の乾燥した水性堆積製剤を有するパーソナルケア製品用の臭気制御層を発明した。この層は、おむつ、トレーニングパンツ、吸収性パンツ、大人用失禁用製品、及び女性用衛生製品などのパーソナルケア製品内に配置することができる。存在する臭気吸収剤の量は、乾燥ベースで約２と８０重量パーセントの間の量とすることができる。この層は、ティシュ、フィルム、ペーパータオル、不織ウェブ、コフォーム、空気堆積、湿式堆積、ボンデッドカーデッドウェブ及びその積層体とすることができる。
本発明は、液体不透過性バッフルと、液体透過性身体側ライナと、臭気吸収剤及び結合剤の乾燥した水性塗布層を有する基材とを有する女性用衛生製品及び大人用失禁用製品を含む。
【０００７】
本発明の耐久性のある臭気吸収剤処理したパーソナルケア製品は、このような臭気吸収剤処理体のない同様の製品よりも臭気低減が優れている。また、パーソナルケア製品を処分するために一般に用いられるポーチもまた、臭気吸収処理体を有することができる。また、障壁パッケージ用の臭気低減挿入体は、臭気吸収剤及び結合剤からなる臭気低減処理体を備えた基材を有することができる。
また、本発明は、パーソナルケア製品の臭気を制御する方法を含み、これは、臭気吸収剤、結合剤及び水を含む製剤に基材を浸漬する段階と、該基材を乾燥する段階と、基材をパーソナルケア製品内に配置する段階とを有する。
【発明を実施するための最良の形態】
【０００８】
本発明は、パーソナルケア製品、即ちおむつ、トレーニングパンツ、吸収性パンツ、大人用失禁用製品、及び女性用衛生製品の臭気制御に関する。
パーソナルケア製品での臭気の制御は、女性用衛生パッド及び失禁用製品を着用しているような大人に特に関心がもたれている。不快な臭気による気まずい思いを避けたいという要望は、このような製品の大人の消費者にとって重要であり、本発明はこの点に関して大きな助けとなる。
【０００９】
発明者らは、パーソナルケア製品の層上に臭気吸収剤の持続性の処理をもたらす方法を見出した。臭気吸収剤は、臭気吸収剤及び結合剤並びに水を含む製剤から層上に堆積させて乾燥させる。この臭気吸収製剤は、幾つかの方法を用いて堆積させることができ、製品を過酷に使用しても実質的に所定位置に留まる。
臭気吸収剤は、粒子又は繊維の形態のゼオライト、シリカ、アルミナ、二酸化チタン、炭酸ナトリウム、重炭酸ナトリウム、リン酸ナトリウム、硫酸銅、硫酸亜鉛、及び活性炭素、或いは、臭気を制御することが知られている他の化学物質、及びその混合物とすることができる。臭気吸収剤の量は、選択した吸収性の有効性に応じて変化することになるが、一般的には、約２〜約８０重量パーセントの範囲、望ましくは約５と７５重量パーセントの間、更に望ましくは約１０と３０重量パーセントの間とする必要がある。
【００１０】
吸収剤を含有する入手可能な製剤の例には、米国ニューヨーク州ニューヨークのＭｅａｄＷｅｓｔｖａｃｏ  Ｃｏｒｐｏｒａｔｉｏｎから入手されるＮｕｃｈａｒ  ＰＭＡインクが含まれる。他の吸収剤製品は、商品名ＣＡＲＢＡＢＳＯＲＢ（登録商標）で米国ペンシルベニア州ピッツバーグのＣａｌｇｏｎ  Ｃａｒｂｏｎ  Ｃｏｒｐｏｒａｔｉｏｎから、米国ウィスコンシン州ミルウォーキーのＳｉｇｍａ−Ａｌｄｒｉｃｈ  Ｃｈｅｍｉｃａｌ  Ｃｏｍｐａｎｙから、及び米国マサチューセッツ州ボストンのＣａｂｏｔ  Ｃｏｒｐｏｒａｔｉｏｎから入手可能である。
【００１１】
本発明の臭気吸収剤基材を配置することができるパーソナルケア製品には、女性用衛生製品、失禁用製品及び吸収性パンツが含まれる。
パーソナルケア製品、特に女性用衛生製品は、通常販売用に製品を包装する小さなポーチに入れることにより処分されることが多い。また処分するためにこのようなポーチの中に吸収剤を入れて、臭気を少なくするのを助けることもできる。図１は、パーソナルケア製品２が中に入っているポーチ１を示す。ポーチは、再シール可能にポーチを開放する従来の面ファスナ又は接着剤のような締結手段３、４を有する。パッケージの長手寸法に沿って見た断面（図２）では、折り畳んだパーソナルケア製品２が入っているポーチ１と、ポーチ１内の臭気吸収層５とを示している。
【００１２】
また、臭気吸収剤基材は、製品用のパッケージ内に入れることができ、このパッケージは、包装される品目の構成要素から吸収し、及び／又は臭気を吸収する空気又は酸素障壁である。このような臭気低減挿入体は、トイレットペーパー及びペーパータオルのような製品の貯蔵及び発送中にこのようなパッケージ内に蓄積される臭気を低減するのに役立つことができる。例えば、図３は、プラスチックラップ７内にあるトイレットペーパーロール６のパッケージを示す。パッケージ内に臭気低減挿入体８が見える。
【００１３】
臭気吸収剤は、上述のようなものを含む女性用衛生製品内に含めることができる。これら女性用衛生製品封入体は、例えば、図４に部分的に切り欠いて示したパッドを含む。このパッド１０は、着用者から離れる側部に液体不透過性バッフル１２を有する。バッフル１２は、ポリエチレン又はポリプロピレンフィルムのようなフィルムで作られることが多い。着用者に最も近い層はライナ１４であり、好ましくは柔らかく吸収性のある液体透過性層である。バッフル１２とライナ１４との間には、あらゆる液体放出物の大部分を保持するように設計された吸収性コア１６などの種々の目的の幾つかの層が存在することができる。他の任意選択の層には、移送遅延層１７、及びティシュラップ（図示せず）を含まれる。
【００１４】
同様に、図５に示すような失禁用製品３０は、バッフル又は外側カバー３２、最も内側にあるライナ３４、及びこれらの間にある吸収性コア３６のような種々の層を有する。図６は、失禁用製品の狭い部分にわたって取った断面を示している。ライナ３４が最も上にあり、その下にサージ層３５があり、該サージ層は、液体の大量の大きなサージを受け入れ、これを次の層に徐々に放出するリザーバのように機能する。サージ層３５の下には、ティシュラップ３７で囲まれた吸収性コア又は綿撒糸３６がある。幾つかの製品の吸収性コアには吸収性粒子が含まれており、これは、遊離して極めて小さく、閉じ込められていなければ、身体又は衣類に漏れる可能性がある。ティシュラップ３７がコア３６を囲み、超吸収性粒子がコア３６から出ないようにしている。ティシュで包まれたコアの下には、フラフ層３８、次いでバッフル３２がある。また、多くの製品は、使用者の下着に接着することによって使用時に製品を所定位置に保持するのを助ける接着ストリップ３９を有する。失禁用製品に関するより詳細な情報は、例えば、米国特許第４，９４０，４６４号及び第４，９３８，７５３号に見ることができ、これらは引用によりその全体が本明細書に組み込まれる。
【００１５】
図７に示すような吸収性パンツ５０は、バッフル５２、ライナ５４及び吸収性コア（図示せず）を有する。吸収性下着に関する更に詳細な考察は、例えば、米国特許第６，２４０，５６９号及び第６，３６７，０８９号において見ることができ、これらは引用によりその全体が本明細書に組み込まれる。
本発明の臭気吸収剤は、水性製剤で布層に塗布し、乾燥させ、この乾燥した層を製品内に配置することができる。或いは、吸収剤を含む製剤を製品中に存在する吸収性コアのような層に塗布して乾燥させてもよい。本発明の吸収剤で処理するのに好適な基材には、フィルム、ティシュ、ペーパータオル、織布及び不織布、コフォーム材料、空気堆積材料、湿式堆積材料、ボンデッドカーデッドウェブ等が含まれる。基材の非排他的例は、米国特許第４，７７５，５８２号及び第４，８５３，２８１号、第４，８３３，００３号、及び第４，５１１，４８８号に見出すことができ、これらは全てキンバリークラーク社に譲渡された。
【００１６】
不織布は、スパンボンド法、メルトブロー法、空気堆積法、ボンド及びカード法等のような工程により作ることができる。不織布は、限定ではないが、ポリエステル、ナイロン、及びポリオレフィンを含む熱可塑性樹脂で作ることができる。オレフィンには、エチレン、プロピレン、ブチレン、イソプレン等、並びにその組み合わせが含まれる。
「コフォーム」という用語は、シュートの近くに少なくとも１つのメルトブローンダイヘッドが配置され、該ヘッドを通じて他の材料が成形中のウェブに添加されるような製法を意味する。このような他の材料は、例えば、パルプ、超吸収性粒子、天然ポリマー（例えば、レーヨン又は綿繊維）及び／又は合成ポリマー（例えば、ポリプロピレン又はポリエステル）繊維とすることができ、ここでこれらの繊維はステープルの長さとすることができる。コフォーム工程は、Ｌａｕに付与され本出願人に譲渡された米国特許第４，８１８，４６４号及びＡｎｄｅｒｓｏｎらに付与された第４，１００，３２４号に示されている。コフォーム工程により生成されたウェブは、一般にコフォーム材料と呼ばれる。
【００１７】
ボンデッドカーデッドウェブは、ステープル繊維で製造され、該ステープル繊維をコーミング又はカーディングユニットを通して送り、ほぐして機械方向に整列させ、ほぼ機械方向に配向された繊維不織ウェブが形成される。ウェブが形成されると、次いで、粉体結合、パターン結合、スルーエア結合及び超音波結合などの幾つかの方法のうちの１つ又はそれ以上によって結合される。
空気堆積工程では、典型的な長さが約３〜約５２ミリメートル（ｍｍ）の範囲の小さな繊維の束を分離して供給空気内に取り込み、次いで、通常真空供給の助けにより成形スクリーン上に堆積される。ランダムに堆積した繊維は、次に互いに結合される。空気堆積を教示する例には、Ｌａｕｒｓｅｎらに付与されＳｃａｎ  Ｗｅｂ  ｏｆ  Ｎｏｒｔｈ  Ａｍｅｒｉｃａ  Ｉｎｃに譲渡された米国特許第４，６４０，８１０号に記載されたＤａｎＷｅｂ法、Ｋｒｏｙｅｒらに付与された米国特許第４，４９４，２７８号及びＳｏｅｒｅｎｓｅｎに付与されＮｉｒｏ  Ｓｅｐａｒａｔｉｏｎ  ａ／ｓに譲渡された米国特許第５，５２７，１７１号に記載されたＫｒｏｙｅｒ工程、Ａｐｐｅｌらに付与されＫｉｍｂｅｒｌｙ−Ｃｌａｒｋ Ｃｏｒｐｏｒａｔｉｏｎに譲渡された米国特許第４，３７５，４４８号の方法、又は他の類似の方法が含まれる。
【００１８】
吸収剤は、吸収剤及び結合剤を有する製剤に層を浸漬する段階と、過剰分を絞る段階と、乾燥させる段階とを伴う浸漬及び圧搾法のような流体飽和法により基材層に塗布することができる。
吸収剤は、飽和処理器で層に塗布し、その後、例えば蒸気缶で乾燥させることができる。この方法は、図８に示されており、ここで、ティシュ層６９がローラ７０、７１の周りを進んでリザーバ７３を通り、次いで、ゴム塗りロール７２とステンレス鋼ピックアップロール７４との間を進み、ここで「ニップ」又は圧搾されて過剰な液体が除去される。次に、湿潤ティシュ層６９は、４つの蒸気缶７６、７８、８０、８２にわたって乾燥される。一例において、ピックアップロールと塗布ロールとの間のニップ圧力は９２ｐｓｉ（６３４キロパスカル、ＫＰａ）、塗布される臭気吸収剤及び結合剤の量は１００〜１２７重量パーセントの範囲、送り速度は２８ｆｔ／分（８．５３ｍ／分）、蒸気缶温度は、それぞれ、１７６Ｆ、１７０Ｆ、１８５Ｆ及び１９１Ｆ（８０．０、７６．７、８５．０、８８．３Ｃ）であった。或いは、湿潤ティシュは、通気乾燥を用いることなどの他の手段で乾燥させてもよい。
【００１９】
飽和法に対してコーティング法による吸収剤を塗布する方法の有効性を試験するために、両方の方法を実施して得られた材料を試験した。この試験では、ブレード及びマイヤーロッド（Ｎｏ.１０  二重巻き）を用いる段階を含む異なる表面コーティング法を用いて、湿式堆積セルロース布にＮｕｃｈａｒ  ＰＭＡインクを塗布した。この同じ布の別の試料を上述のように飽和させ、蒸気缶で乾燥させた。モデル臭気としてピリジン（アミン）を用いるＧＣヘッドスペース法で臭気吸収効率を測定し、Ａｇｉｌｅｎｔ７６９４ヘッドスペースサンプラを備えたＡｇｉｌｅｎｔ５８９０、シリーズＩＩガスクロマトグラフ（両方ともドイツ国ＷａｌｄｂｒｏｎｎのＡｇｉｌｅｎｔ  Ｔｅｃｈｎｏｌｏｇｉｅｓから入手可能）によって行った。搬送ガスとしてヘリウムを用いた（注入ポート圧力：１２．７ｐｓｉｇ（１８８．９ｋＰａ）、ヘッドスペースバイアル圧力：１５．８ｐｓｉｇ（２１０．３ｋＰａ）、供給ライン圧力：６０  ｐｓｉｇ（５１５．１ｋＰａ））。臭気化合物には、長さ３０ｍ、内径０．２５ｍｍのＤＢ−６２４カラム（カリフォルニア州ＦｏｌｓｏｍのＪ＆Ｗ  Ｓｃｉｅｎｔｉｆｉｃ，Ｉｎｃ．から入手可能）を用いた。
【００２０】
ヘッドスペース・ガスクロマトグラフ法で用いた運転パラメータを下表に示す。
ヘッドスペース・ガスクロマトグラフ装置の運転パラメータ
2007515206.tif 000002
【００２１】
試験手順には、臭気吸収剤を含む試料０．００５〜０．００６ｇを２０立方センチメートル（ｃｃ）ヘッドスペースバイアル内に入れる段階を含んだ。シリンジを用いて、臭気化合物を分取したものもバイアルに入れた。次いで、バイアルをキャップ及びセプタムでシールし、３７℃のヘッドスペース・ガスクロマトグラフオーブンに入れた。１０分後、セプタムを通じてバイアル内に中空針を挿入した。次に、ヘッドスペース（バイアル内空気）の試料１ｃｃをガスクロマトグラフに注入した。
【００２２】
試験の結果は以下に示すが、湿式堆積布中のセルロースが弱酸性であることにより、対照がピリジンを幾分吸収することに留意されたい。
試料                  塗布方法            ％炭素        ｍｇピリジン
湿式堆積対照          適用せず            適用せず              ５３
湿式堆積／          片側ブレード            ３．３              ５４
ＰＭＡ炭素
湿式堆積／          片側ロッド              ６．３              ６０
ＰＭＡ炭素
湿式堆積／          片側ブレード          １０．９              ７５
ＰＭＡ炭素
湿式堆積／      浸漬及び絞り飽和器        １０．０              ９０
ＰＭＡ炭素
この結果により、表面コーティングに比べて、基材の飽和によりピリジンの吸収がかなり増大することが示される。
【００２３】
吸収剤及び結合剤を含む本発明の製剤を乾燥させて、使用中又は輸送中に移動又は剥離しない耐久性のある処理剤を生成する。耐久性は、親指と人差し指との間に基材を挟み、２本の指を擦ることにより評価することができる。指に吸収剤が殆ど又は全く残らないことが必要である。フレキソ印刷業界で広く用いられる別の試験は、硬い表面上に処理済み基材を置き、該基材上に親指を置いて、この親指を約９０度回転させるものである。この場合もやはり、親指には殆ど又は全く吸収剤が残らない必要がある。この「親指捻り」試験は、ＳＩＴＡ  Ｔｅｃｈｎｏｌｏｇｙ、Ｌｔｄ．と提携してＪｏｈｎ  Ｗｉｌｅｙ  ＆  Ｓｏｎｓ  Ｌｔｄ．により１９９７年に出版された、Ｃ  Ｌｏｗｉ、Ｇ．Ｗｅｂｓｔｅｒ、Ｓ．Ｋｅｌｌｓｅ、Ｉ．ＭｃＤｏｎａｌｄの「Ｃｈｅｍｉｓｔｒｙ  ＆  Ｔｅｃｈｎｏｌｏｇｙ  ｆｏｒ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ（コーティング用ＵＶ及びＥＢ製剤、インク並びに塗料のための化学と技術）」第４巻、５４ページ、ＩＳＢＮ  ０  ９４７７９８  ５４  ４と、ＳＩＴＡ  Ｔｅｃｈｎｏｌｏｇｙ  Ｌｔｄ．と提携してＪｏｈｎ  Ｗｉｌｅｙ  ａｎｄ  Ｓｏｎｓ  Ｌｔｄにより１９９８年に出版されたＣ．ＬｏｗｅとＲ．Ｋ．Ｔ．Ｏｌｄｒｉｎｇの「Ｔｅｓｔ  Ｍｅｔｈｏｄｓ  ｆｏｒ  ＵＶ  ａｎｄ  ＥＢ  Ｃｕｒｉｎｇ  Ｓｙｓｔｅｍｓ（ＵＶ及びＥＢ硬化システムのための試験法）」第６巻、ＩＳＢＮ  ０４７１  ９７８９０６に詳細に記載されている。この試験は、特定のテスタによって圧力が印加されると幾分の変動を受けることがあるが、ほとんどの条件では驚くほど正確である。この試験は、一般に、磨耗ホイールが布を通して完全に摩滅するのに必要なサイクル数を測定するＴａｂｅｒ磨耗試験と相関付けることができる。
【００２４】
Ｔａｂｅｒ磨耗試験では、水平面内で回転するターンテーブル上に布の試料を置き、回転するときに試料上に磨耗ホイールを載せる。ホイールは、約３０〜４５回転／分の速度で回転するターンテーブルと同じ速度で回転する。種々の程度の磨耗性のホイールが入手可能である。Ｔａｂｅｒ磨耗試験装置は、米国ニューヨーク州Ｎｏｒｔｈ  ＴｏｎａｗａｎｄａのＴｅｌｅｄｙｎｅ  Ｔａｂｅｒから型番５１３０で入手可能であり、Ｈ−３８ホイール及び１２５グラム釣合重りを備えている。この構成では、本発明による試料は、目に見える量の吸収剤をホイールに移行させることなく、少なくとも１０サイクルに耐える必要がある。
【００２５】
臭気吸収剤がコーティングされた基材は、パーソナルケア製品内のどのような数の部位にも配置することができる。基材は、例えば、ライナの直下、サージの下、コアとフラフとの間、又はフラフの下に配置することができる。基材は、ティシュラップで置き換えることもでき、コアのための２次ラップとすることもできる。
以下の実施例は、本発明の理解を助けるものである。
【００２６】
実験１
この研究では、米国テキサス州ダラスのキンバリークラーク社から入手されるＰｏｉｓｅ（登録商標）レギュラーサイズパッドを用いた。カーボンインクＤＰＸ−７８６１−４９Ａは、ＭｅａｄＷｅｓｔｖａｃｏから調達したが、これは、１５重量パーセントの炭素、１１重量パーセントのスチレン−アクリル結合剤及び７４重量パーセントの水を含むものであった。
【実施例１】
【００２７】
ＭｅａｄＷｅｓｔｖａｃｏ  ＤＰＸ−７８６１−４９ＡインクをＨｉ−Ｃｏｕｎｔ（登録商標）１プライティシュの１１ｃｍ×１６ｃｍストリップ上にコーティングした。乾燥後の各ストリップは、ほぼ３２ｍｇの炭素／結合剤を有し、その約１８ｍｇが炭素であった。ストリップを大人用失禁用物品（図６参照）、この例では、米国テキサス州ダラスのキンバリークラーク社から入手可能なＰｏｉｓｅ（登録商標）パッド、レギュラーサイズのフラフ層下で且つバッフル上に配置した。
【実施例２】
【００２８】
活性炭素及び結合剤インク（ＤＰＸ−７８６１−４９Ａという名称でＭｅａｄＷｅｓｔｖａｃｏから入手される）をＨｉ−Ｃｏｕｎｔ（登録商標）１プライティシュの３．５ｃｍ×２６ｃｍストリップ上にコーティングし、乾燥させた。乾燥後の各ストリップは、ほぼ６．６ｍｇの炭素を有した。ストリップは、吸収性コア綿撒糸の周りに長手方向に巻きつけ、綿撒糸の側部は開放したままにした。これは、大人用失禁用物品（図５参照）、この例では米国テキサス州ダラスのキンバリークラーク社から入手可能なＰｏｉｓｅ（登録商標）パッドのレギュラーサイズにおいて行われた。
【実施例３】
【００２９】
活性炭素及び結合剤インク（ＤＰＸ−７８６１−４９Ａという名称でＭｅａｄＷｅｓｔｖａｃｏから入手される）を湿式堆積層の３．４ｃｍ×９ｃｍストリップ上にコーティングした。乾燥後の各ストリップは、約２６ｍｇの炭素を有した。ストリップは、大人用失禁用物品（図５参照）、この例では米国テキサス州ダラスのキンバリークラーク社から入手可能なＰｏｉｓｅ（登録商標）パッドのレギュラーサイズの吸収性コアの両端に配置した。
【実施例４】
【００３０】
吸収性コアを包むためにＰｏｉｓｅ（登録商標）パッドに通常用いられる１１×１４ｃｍのティシュラップ片上に、活性炭素及び結合剤インク（ＤＰＸ−７８６１−４９Ａという名称でＭｅａｄＷｅｓｔｖａｃｏから入手される）をコーティングした。乾燥後の各ストリップは、約１４ｍｇの炭素を有した。コーティングしたティシュラップは、ティシュラップの通常の部位に用いられ、即ち、大人用失禁用物品（図６参照）、この例ではダラスのキンバリークラーク社から入手可能なＰｏｉｓｅ（登録商標）パッドのレギュラーサイズの吸収性コアの周りを包んだ。
【００３１】
対照１
実施例のパッドと同様であるが、本発明の炭素臭気吸収剤層が無い市販のＰｏｉｓｅ（登録商標）パッド。
対照２
ドイツ国ミュンヘンのＳＣＡ  ＨｙｇｉｅｎｅＰｒｏｄｕｃｔｓの系列会社である米国ペンシルベニア州エディストンのＳｅｒａｃ  ＬＬＣから市販されるＯｄａｓｏｒｂ  ｐｌｕｓ（商標）を備えたＳｅｒｅｎｉｔｙ（登録商標）ナイトアンドデイのエクストラプラスサイズ。これらのパッドを実質的に同等の２つの部片に切断し、パッドの重量及び大きさがレギュラーサイズのＰｏｉｓｅ（登録商標）パッドとほぼ等しくなるようにした。
【００３２】
次いで、実験１に記載した実施例及び対照について、ＡＳＴＭ  Ｅ１２０７−８７（腋脱臭の評価に対する標準的技法）に従って、官能パネルにより臭気を評価し、以下の表１の結果を得た。この試験では、各試料に女性の蓄尿６０ｍｌを放出させ、密封状態の１クォート（０．９５リットル）のガラス容器に入れて３７℃で２４時間インキュベートした。１２人の訓練を受けた女性官能試験員が、尿の臭気強度の順にパッドを等級をつけた。
表１  臭気の最低から最高までの順序
試料                                臭気等級
実施例４                            ８．６（最低臭気）
実施例３                            ９．３
実施例２                            １６．４
対照１                              １６．６
実施例１                            １７．２
対照２                              ３１．８（最高臭気）
【００３３】
実験２
以下の実験では、Ｐｏｉｓｅ（登録商標）エクストラプラスサイズパッドを研究に用いた。使用したカーボンインクは、１５重量パーセントの炭素、１２重量のスチレン−アクリルコポリマー結合剤及び７３重量パーセントの水を含むＮｕｃｈａｒ  ＰＭＡであり、ＭｅａｄＷｅｓｔｖａｃｏから調達した。
【実施例５】
【００３４】
活性炭素及び結合剤インク（Ｎｕｃｈａｒ  ＰＭＡ）をポリエチレンフィルムの６ｃｍ×２２ｃｍ片上にコーティングし、次いで、これをＰｏｉｓｅ（登録商標）パッド内のバッフルの直ぐ上、即ち着用者に向かう側に配置した。乾燥後の各ストリップは、約２０ｍｇの炭素を有した。ティシュラップ綿撒糸（未処理）をフラフバッフルの下に配置した。
【実施例６】
【００３５】
活性炭素及び結合剤インク（Ｎｕｃｈａｒ  ＰＭＡ）を通常Ｐｏｉｓｅ（登録商標）パッドに用いられて吸収性コアを包む６ｃｍ×２０．５ｃｍ片のティシュラップ上にコーティングした。乾燥後の各ストリップは、約２０ｍｇの炭素を有した。コーティングしたティシュストリップは、Ｐｏｉｓｅ（登録商標）パッドのレギュラーサイズのサージ層の下に配置した。ティシュラップパッド綿撒糸（未処理）はフラフバッフルの下に配置した。
【実施例７】
【００３６】
活性炭素及び結合剤インク（Ｎｕｃｈａｒ  ＰＭＡ）を通常Ｐｏｉｓｅ（登録商標）パッドに用いられて吸収性コアを包む１３ｃｍ×２０．５ｃｍ片のティシュラップにコーティングした。乾燥後の各ストリップは、約４０ｍｇの炭素を有した。綿撒糸は処理したティシュで包み、次に、Ｐｏｉｓｅ（登録商標）パッドの衣類側のバッフルの下に配置した。
【００３７】
対照３
市販のＰｏｉｓｅ（登録商標）エクストラプラスサイズパッドを何ら変更を加えることなく用いた。これらのパッドは、サージ層の直ぐ下にティシュラップ綿撒糸を有するものであったことに留意されたい。
対照４
ティシュラップ綿撒糸をフラフバッフルの下に挿入させてＰｏｉｓｅ（登録商標）エクストラプラスサイズパッドを調製した。
対照５
Ｏｄａｓｏｒｂ  ｐｌｕｓ（商標）を備えたＳｅｒｅｎｉｔｙ（登録商標）ナイトアンドデイのエクストラプラスサイズを変更せずに用いた。
【００３８】
次に、実験２に記載した実施例及び対照をＡＳＴＭ  Ｅ１２０７−８７に従って官能パネルにより臭気を評価し、表２の結果を得た。この試験では、各試料に女性蓄尿６０ｍｌを放出し、密封状態の１クォート（０．９５リットル）ガラス容器に入れて３７℃で２４時間インキュベートした。１２人の訓練を受けた女性官能試験員が、尿の臭気強度の順にパッドに等級をつけた。
表２  臭気の最低から最高までの順序
試料                                  臭気等級
実施例６                              ７．４（最低臭気）
実施例５                              ８．６
実施例７                              １２．６
対照５                                １５．７
対照４                                ２４．７
対照３                                ３１．１（最高臭気）
【００３９】
実験３
Ｐｏｉｓｅ（登録商標）レギュラーサイズパッドをこの研究に用いた。この研究にはＭｅａｄＷｅｓｔｖａｃｏからのカーボンインクを用いた。
【実施例８】
【００４０】
活性炭素及び結合剤インク（Ｎｕｃｈａｒ  ＰＭＡ））をポリエチレンフィルムの３ｃｍ×１１ｃｍ片上にコーティングし、次いで、これをＰｏｉｓｅ（登録商標）パッド内のバッフルの直ぐ上、即ち着用者に向かう側に挿入した。乾燥後の各ストリップは、約１０ｍｇの炭素を有した。青いサージ層の下にティシュラップ綿撒糸（未処理）を配置した。
【実施例９】
【００４１】
活性炭素及び結合剤インク（ＤＰＸ−７８６１−４９Ａ）を通常Ｐｏｉｓｅ（登録商標）パッドに用いられて吸収性コアを包む１１ｃｍ×１４ｃｍ片のティシュラップにコーティングした。乾燥後の各ストリップは、約１８ｍｇの炭素を有した。コーティングしたティシュストリップは、ティシュラップの通常の部位に用いられ、即ち、大人用失禁用物品（図６参照）の吸収性コアの周りを包んだ。
【実施例１０】
【００４２】
活性炭素及び結合剤インク（ＤＰＸ−７８６１−４９Ａ）を通常Ｐｏｉｓｅ（登録商標）パッドに用いられて吸収性コアを包むティシュラップの１１ｃｍ×１４ｃｍ片上にコーティングした。乾燥後の各ストリップは、約７ｍｇの炭素を有した。コーティングしたティシュストリップは、ティシュラップの通常の部位に用いられ、即ち、大人用失禁用物品（図６参照）の吸収性コアの周りを包んだ。
【００４３】
対照６
ドイツ国ミュンヘンのＳＣＡ  ＨｙｇｉｅｎｅＰｒｏｄｕｃｔｓの系列会社である米国ペンシルベニア州エディストンのＳｅｒａｃ  ＬＬＣから市販されるＯｄａｓｏｒｂ  ｐｌｕｓ（商標）を備えたＳｅｒｅｎｉｔｙ（登録商標）ナイトアンドデイのエクストラプラスサイズ。これらのパッドを２つに切断し、パッドの重量（従って大きさ）がレギュラーＰｏｉｓｅ（登録商標）パッドと同様になるようにした。
【００４４】
対照７
実施例のパッドと同様であるが、本発明の炭素臭気吸収剤層がない市販のＰｏｉｓｅ（登録商標）パッド。
【００４５】
次に、上述の実施例及び対照について、ＡＳＴＭ  Ｅ１２０７−８７（腋脱臭の知覚評価に対する標準的技法）に従って官能パネルにより臭気を評価し、以下の表３の結果を得た。この試験では、各試料に女性の蓄尿６０ｍｌを放出させ、密封状態の１クォート（０．９５リットル）のガラス容器に入れて３７℃で２４時間インキュベートした。１２人の訓練を受けた女性官能試験員が、尿の臭気強度の順にパッドに等級をつけた。
表３  臭気の最低から最高までの順序
試料                                臭気等級
実施例９                            ５．３（最低臭気）
実施例１０                          ８．０
実施例８                            ９．７
対照６                              ２８．８
対照７                              ３０．６（最高臭気）
【００４６】
このデータは、本発明の臭気吸収剤層が、製品の知覚される臭気を低減させることに成功したことを示している。ＡＳＴＭ  Ｅ１２０７−８７によれば、耐久性のある臭気吸収剤製剤を備えた層を有するパーソナルケア製品では、耐久性のある臭気吸収剤がない同様のパーソナルケア製品よりも臭気制御が優れていることは明らかである。「同様の製品」という用語が意味するものは、本発明の製品と本質的に同じ製造工程及び材料を用いるが、本発明の品目がない製品である。ＷｅｂｓｔｅｒのＮｅｗ  Ｃｏｌｌｅｇｉａｔｅ  Ｄｉｃｔｉｏｎａｒｙ（１９８０）によれば、「同様の」とは、（１）共通の特徴を有すること；厳密な匹敵、（２）物質又は本質的要素が似ていること；相当することを意味する。「同様の」という語のこの一般に是認されている意味を用いると、この用語は、上述の本発明の条件を除いて全ての他の条件が製造公差内にあり、本質的に同じであることを意味する。
【００４７】
活性炭素及び結合剤を含む製剤が塗布された基材の全ては、フレキソ印刷業界の親指捻り圧力試験又はＴａｂｅｒ磨耗試験による耐久性のある処理剤を有した。吸収剤は、吸収剤及び結合剤を含む製剤を用いて塗布されなければ、基材に耐久的に付着しない。
当業者には理解されるように、本発明に対する変更及び変形形態は、当業者の能力の範囲内になるものとされる。このような変更形態の例は、上記で認識された本特許に含まれ、その各々は、本明細書と一致する範囲で引用により本明細書に組み込まれる。このような変更及び変形形態は、発明者らによって本発明の範囲内にあるものとされる。また、本発明の範囲は、本明細書に開示した特定の実施形態に限定されると解釈されるべきではなく、上記の開示事項に照らして読むと添付の請求項にのみ従うことも理解されることになる。
【図面の簡単な説明】
【００４８】
【図１】パーソナルケア製品を含むポーチの図である。
【図２】図１のポーチの断面図である。
【図３】トイレットペーパーのパッケージの図である。
【図４】女性用衛生製品の図である。
【図５】大人用失禁用製品の図である。
【図６】大人用失禁用製品の断面図である。
【図７】吸収性パンツの図である。
【図８】布を処理する方法の概略図である。
【図１】
2007515206.tif 000003
【図２】
2007515206.tif 000004
【図３】
2007515206.tif 000005
【図４】
2007515206.tif 000006
【図５】
2007515206.tif 000007
【図６】
2007515206.tif 000008
【図７】
2007515206.tif 000009
【図８】
2007515206.tif 000010
【国際調査報告】
2007515206.tif 000011
2007515206.tif 000012
2007515206.tif 000013
2007515206.tif 000014